(57)【要約】【課題】アクティブスタイラスペンがスリープ状態にあってもホバリング機能を有効に機能させることのできるデータ入力システムを提供することである。【解決手段】実施形態によれば、データ入力システムは、アクティブスタイラスペンと、アクティブスタイラスペンの信号を検知するセンサを有する装置とからなる。アクティブスタイラスペンは、出力手段、圧力センサおよび制御手段を具備する。圧力センサは、手書き入力操作時の筆圧を検出する。制御手段は、圧力センサにより第１期間を超えて圧力が検出されない場合、出力手段が無線信号を第１送信間隔で出力する第１モードから出力手段が無線信号を第１送信間隔よりも長い第２送信間隔で出力する第２モードに切り替える。本体装置は、表示手段を具備する。表示手段は、アクティブスタイラスペンからの無線信号に基づき、そのペン先が指し示す位置を表すオブジェクトをタッチパネルに表示する。【選択図】図３
2015210620.tif 000002
【特許請求の範囲】
【請求項１】
アクティブスタイラスペンと、前記アクティブスタイラスペンの信号を検知するセンサを有する装置とからなるデータ入力システムであって、
前記アクティブスタイラスペンは、
無線信号を出力する出力手段と、
手書き入力操作時の筆圧を検出するための圧力センサと、
前記圧力センサにより第１期間を超えて圧力が検出されない場合、前記アクティブスタイラスペンを前記出力手段が無線信号を第１送信間隔で出力する第１モードから前記出力手段が無線信号を前記第１送信間隔よりも長い第２送信間隔で出力する第２モードに切り替える制御手段と、
を具備し、
前記装置は、前記アクティブスタイラスペンから出力される無線信号に基づき、操作面に非接触状態の前記アクティブスタイラスペンが指し示す位置を表すオブジェクトを前記操作面に表示する表示手段を具備し、
前記表示手段は、前記アクティブスタイラスペンが第２モードの場合、第１タイミングで出力された無線信号に基づき前記操作面に表示した前記オブジェクトの表示状態を前記第１タイミングに後続する第２タイミングで無線信号が出力されるまで維持する、
データ入力システム。
【請求項２】
前記第２モード時に出力される前記無線信号は、ビーコン信号である請求項１に記載のデータ入力システム。
【請求項３】
前記第２モード時における前記無線信号の搬送波の周波数は、前記第１モード時の周波数よりも低い周波数である請求項１または２に記載のデータ入力システム。
【請求項４】
前記制御手段は、前記アクティブスタイラスペンが前記第１モードまたは前記第２モードのいずれの状態にあるのかを前記ビーコン信号によって前記本体装置に通知する請求項２に記載のデータ入力システム。
【請求項５】
前記制御手段は、前記第２モード時、前記圧力センサにより圧力が検出された場合、前記アクティブスタイラスペンを前記第２モードから前記第１モードに切り替える請求項１、２、３または４に記載のデータ入力システム。
【請求項６】
手書き入力操作を行うためのアクティブスタイラスペンであって、
無線信号を出力する出力手段と、
手書き入力操作時の筆圧を検出するための圧力センサと、
前記圧力センサにより第１期間を超えて圧力が検出されない場合、前記アクティブスタイラスペンを前記出力手段が無線信号を第１送信間隔で出力する第１モードから前記出力手段が無線信号を前記第１送信間隔よりも長い第２送信間隔で出力する第２モードに切り替える制御手段と、
を具備するアクティブスタイラスペン。
【請求項７】
前記第２モード時に出力される前記無線信号は、ビーコン信号である請求項６に記載のアクティブスタイラスペン。
【請求項８】
前記第２モード時における前記無線信号の搬送波の周波数は、前記第１モード時の周波数よりも低い周波数である請求項６または７に記載のアクティブスタイラスペン。
【請求項９】
前記制御手段は、前記アクティブスタイラスペンが前記第１モードまたは前記第２モードのいずれの状態にあるのかを前記ビーコン信号によって前記本体装置に通知する請求項７に記載のアクティブスタイラスペン。
【請求項１０】
前記制御手段は、前記第２モード時、前記圧力センサにより圧力が検出された場合、前記アクティブスタイラスペンを前記第２モードから前記第１モードに切り替える請求項６、７、８または９に記載のアクティブスタイラスペン。
【請求項１１】
手書き入力操作を行うためのアクティブスタイラスペンの制御方法であって、
手書き入力操作時の筆圧を検出することと、
第１期間を超えて筆圧が検出されない場合、前記アクティブスタイラスペンを、無線信号を第１送信間隔で出力する第１モードから無線信号を前記第１送信間隔よりも長い第２送信間隔で出力する第２モードに切り替えることと、
を具備するアクティブスタイラスペンの制御方法。
【請求項１２】
前記第２モード時、前記無線信号としてビーコン信号を出力する請求項１１に記載のアクティブスタイラスペンの制御方法。
【請求項１３】
前記第２モード時、前記無線信号の搬送波の周波数を、前記第１モード時の周波数よりも低い周波数とすることを具備する請求項１１または１２に記載のアクティブスタイラスペンの制御方法。
【請求項１４】
前記アクティブスタイラスペンが前記第１モードまたは前記第２モードのいずれの状態にあるのかを前記ビーコン信号によって前記本体装置に通知することを具備する請求項１２に記載のアクティブスタイラスペンの制御方法。
【請求項１５】
前記第２モード時、筆圧が検出された場合、前記アクティブスタイラスペンを前記第２モードから前記第１モードに切り替えることを具備する請求項１１、１２、１３または１４に記載のアクティブスタイラスペンの制御方法。
【発明の詳細な説明】
【技術分野】
【０００１】
本発明の実施形態は、データ入力システム、アクティブスタイラスペンおよびアクティブスタイラスペンの制御方法に関する。
【背景技術】
【０００２】
近年、タブレットやファブレットなどと称される、バッテリ駆動可能で携行容易なデバイスが広く普及している。この種のデバイスは、ユーザによる入力操作を容易にするために、手書き入力機能を備えている。また、最近では、タッチパネル上での指による入力操作のみならず、当該タッチパネル上でのペン（スタイラスペン）による入力操作を受け付け可能な手書き入力機能を備えるものも少なくない。
【０００３】
静電容量方式のタッチパネル上でペンにより文字を入力する場合、ペン先が太く、デジタイザと比較して、小さな文字が書けないといった問題があった。しかし、タッチパネルの精度向上や、電源（電池）を備えたアクティブスタイラスペンを使用することで、ペン先を細くし、細かい文字も書けるようになっている。このため、アクティブスタイラスペンを使用した文字入力は、新たな入力インタフェースとして注目を集めている。
【０００４】
アクティブスタイラスペンには、常時オンにして筆記可能な状態にしていると、電池が短期間に消耗してしまうという問題があった。その対策として、例えば、サイドスイッチにより、電源のオン／オフを切り替える等、節電のための工夫が種々なされている。
【先行技術文献】
【特許文献】
【０００５】
【特許文献１】特開２００４−７８４９６号公報
【発明の概要】
【発明が解決しようとする課題】
【０００６】
アクティブスタイラスペンによる入力操作が可能なデバイスの中には、アクティブスタイラスペンから出力される送信信号に基づき、タッチパネルに非接触状態にあるアクティブスタイラスペンのペン先が指し示すタッチパネル上の位置にマークをガイド表示する機能を備えるものも存在する。このマークは、例えばホバーなどと称され、このマークをガイド表示する機能は、例えばホバリング機能などと称される。
【０００７】
ここで、アクティブスタイラスペンが、節電のために、例えば未使用期間（一定期間以上筆記が行われなかった場合）に送信信号を出力しないスリープ状態へ移行して送信信号の出力を停止することを考える。しかしながら、そうすると、アクティブスタイラスペンがスリープ状態から復帰して送信信号の出力が再開されるまで、ホバーをタッチパネル上にガイド表示するホバリング機能が有効に機能しないという問題が生じる。
【０００８】
本発明が解決しようとする課題は、アクティブスタイラスペンがスリープ状態にあってもホバリング機能を有効に機能させることのできるデータ入力システム、アクティブスタイラスペンおよびアクティブスタイラスペンの制御方法を提供することである。
【課題を解決するための手段】
【０００９】
実施形態によれば、データ入力システムは、アクティブスタイラスペンと、前記アクティブスタイラスペンの信号を検知するセンサを有する装置とからなる。前記アクティブスタイラスペンは、出力手段、圧力センサおよび制御手段を具備する。出力手段は、無線信号を出力する。圧力センサは、手書き入力操作時の筆圧を検出する。制御手段は、前記圧力センサにより第１期間を超えて圧力が検出されない場合、前記アクティブスタイラスペンを前記出力手段が無線信号を第１送信間隔で出力する第１モードから前記出力手段が無線信号を前記第１送信間隔よりも長い第２送信間隔で出力する第２モードに切り替える。前記装置は、表示手段を具備する。表示手段は、前記アクティブスタイラスペンから出力される無線信号に基づき、操作面に非接触状態の前記アクティブスタイラスペンが指し示す位置を表すオブジェクトを前記操作面に表示する。前記表示手段は、前記アクティブスタイラスペンが第２モードの場合、第１タイミングで出力された無線信号に基づき前記操作面に表示した前記オブジェクトの表示状態を前記第１タイミングに後続する第２タイミングで無線信号が出力されるまで維持する。
【図面の簡単な説明】
【００１０】
【図１】実施形態のデータ入力システムを構成するタブレットおよびアクティブスタイラスペンの外観を示す図。
【図２】実施形態のタブレットのシステム構成を示す図。
【図３】実施形態のアクティブスタイラスペンのシステム構成を示す図。
【図４】実施形態のデータ入力システムのホバー表示に関する動作原理を説明するための概略図。
【図５】実施形態のアクティブスタイラスペンの動作手順を示すフローチャート。
【発明を実施するための形態】
【００１１】
以下、実施の形態について図面を参照して説明する。
【００１２】
図１は、本実施形態のデータ入力システムを構成するタブレット１およびアクティブスタイラスペン２の外観を示す図である。
【００１３】
図１に示すように、タブレット１は、本体１１とタッチスクリーンディスプレイ１２とを備える。タッチスクリーンディスプレイ１２は、本体１１の上面に重ね合わせるように取り付けられている。
【００１４】
本体１１は、薄い箱形の筐体を有している。タッチスクリーンディスプレイ１２には、フラットパネルディスプレイと、フラットパネルディスプレイ上でのアクティブスタイラスペン２の接触位置を検出するセンサとが組み込まれている。センサは、静電容量方式のタッチパネルであり、アクティブスタイラスペン２をサポートする機能を有している。フラットパネルディスプレイは、例えばＬＣＤである。タッチパネルは、フラットパネルディスプレイの画面を覆うように設けられる。
【００１５】
タブレット１は、アクティブスタイラスペン２から出力される送信信号に基づき、タッチスクリーンディスプレイ１２に非接触状態にあるアクティブスタイラスペン２のペン先が指し示すタッチスクリーンディスプレイ１２上の位置にマーク（ホバー）ａ１をガイド表示する機能（ホバリング機能）を備えている。本データ入力システムは、アクティブスタイラスペン２がスリープ状態にあってもタブレット１のホバリング機能を有効に機能させることができるようにしたものであり、以下、この点について詳述する。
【００１６】
図２は、タブレット１のシステム構成を示す図である。
【００１７】
図２に示すように、タブレット１は、ＣＰＵ１０１、システムコントローラ１０２、主メモリ１０３、ＢＩＯＳ−ＲＯＭ１０４、タッチパネルコントローラ１０５、グラフィクスコントローラ１０６、ＲＡＭ１０７およびＥＣ（Embedded controller）１０８を備えている。
【００１８】
ＣＰＵ１０１は、タブレット１内の各種モジュールの動作を制御するプロセッサである。ＣＰＵ１０１は、ＲＡＭ１０７から主メモリ１０３に各種ソフトウェアをロードして実行する。各種ソフトウェアの中には、前述のホバリング機能を提供するためのホバー表示プログラム３０１が含まれている。また、ＣＰＵ１０１は、ＢＩＯＳ−ＲＯＭ１０４に格納された基本入出力システム（ＢＩＯＳ）も実行する。ＢＩＯＳは、ハードウェア制御のためのプログラムである。
【００１９】
システムコントローラ１０２は、ＣＰＵ１０１のローカルバスと各種コンポーネントとの間を接続するデバイスである。システムコントローラ１０２には、主メモリ１０３をアクセス制御するメモリコントローラが内蔵されている。また、システムコントローラ１０２は、例えばシリアルバスなどを介して、タッチパネルコントローラ１０５およびグラフィクスコントローラ１０６との通信を実行する機能も有している。
【００２０】
タッチパネルコントローラ１０５は、タッチパネル１２Ａが検出したタッチスクリーンディスプレイ１２上でのアクティブスタイラスペン２の接触位置を入力するデバイスである。タッチパネル１２Ａは、また、アクティブスタイラスペン２から出力される送信信号（搬送波）を受信し、該信号のタッチスクリーンディスプレイ１２上での受信位置を検出可能であり、タッチパネルコントローラ１０５は、この位置情報も入力する。ホバー表示プログラム３０１は、この位置情報を取得して、タッチスクリーンディスプレイ１２上の対応する位置にホバーを表示する。なお、タッチパネル１２Ａは、アクティブスタイラスペン２とタッチパネル１２Ａとの距離が例えば２０ｍｍ以内の場合に送信信号を検出するが、この距離はタッチパネル１２Ａの検出精度や送信信号の送信強度により異なる。また本実施形態では、アクティブスタイラスペン２とタッチパネル１２Ａとの間では、双方向通信ではなく、ペンからパネルへの一方向のみの信号送信を実行することを想定しているが、双方向通信しても良い。
【００２１】
グラフィクスコントローラ１０６は、ＬＣＤ１２Ｂを制御するデバイスであり、ＬＣＤ１２Ｂは、グラフィクスコントローラ１０６によって生成される表示信号に基づき画面イメージを表示する。
【００２２】
ＥＣ１０８は、電力管理を司るコントローラを含むワンチップマイクロコンピュータである。ＥＣ１０８は、ユーザによるパワーボタンの操作に応じてタブレット１を電源オン／オフする機能を有している。
【００２３】
図３は、アクティブスタイラスペン２のシステム構成を示す図である。
【００２４】
図３に示すように、アクティブスタイラスペン２は、電源（電池）２０１、電源供給回路２０２、サイドスイッチ２０３、送信制御回路２０４、筆圧検出器２０５、送信信号生成回路２０６、導電性素材ペン先２０７、周波数変換部２０８および送信信号出力部２０９を備えている。
【００２５】
アクティブスタイラスペン２内の各種モジュールは、電源（電池）２０１からの電力により動作する。電源供給回路２０２は、電源（電池）２０１の電力をアクティブスタイラスペン２内の各種モジュールに供給制御する回路である。サイドスイッチ２０３は、アクティブスタイラスペン２を電源オン／オフするための操作ユニットである。
【００２６】
いま、アクティブスタイラスペン２は、サイドスイッチ２０３の操作により、電源オンされた状態にあるものと想定する。電源オン中、アクティブスタイラスペン２は、基本的に、ウェイク状態（ウェイクモード）にあり、送信制御回路２０４の制御下で、送信信号生成回路２０６により送信信号を生成し、周波数変換部２０８経由で送信信号出力部２０９から継続的に出力する。なお、ウェイクモードでの送信信号は、例えばアナログ方式の場合はペンの位置を通知するためのキャリア周波数信号、デジタル方式の場合は同期検出用のためのあらかじめ決められた直交符号パターン、ペン識別番号および筆圧情報などのペン情報を含む。周波数変換部２０８は、送信信号を所定のキャリア周波数の信号へ変換するモジュールである。キャリア周波数については後述する。
【００２７】
タッチスクリーンディスプレイ１２上でアクティブスタイラスペン２による入力操作が行われると、導電性素材ペン先２０７がタッチスクリーンディスプレイ１２に接触し、筆圧検出器２０５により、入力操作時の筆圧が検出される。筆圧検出器２０５から出力される筆圧値が０の状態（筆圧が検出されない状態）が一定期間継続した場合、アクティブスタイラスペン２は、節電のために、スリープ状態（スリープモード）に移行する。アクティブスタイラスペン２は、導電性素材ペン先２０７がタッチスクリーンディスプレイ１２に接触して、筆圧検出器２０５により筆圧が検出された場合に、スリープ状態からウェイク状態に復帰する。
【００２８】
通常、スリープ状態にある時、アクティブスタイラスペン２は、送信信号の出力を停止する。しかしながら、そうすると、タブレット１側におけるホバー表示プログラム３０１によるホバーの表示も行われなくなってしまう。そこで、本データ入力システムのアクティブスタイラスペン２は、送信信号生成回路２０６が、ウェイク時の送信信号を生成するアクティブ信号生成回路２０６Ａと、スリープ時の送信信号を生成するビーコン信号生成回路２０６Ｂとの２つの信号生成回路を備え、スリープ時には、ビーコン信号生成回路２０６Ｂが生成する送信信号（ビーコン信号）を出力する。なお、スリープモードでの送信信号は、例えば同期検出用の直交符号である。この直交符号のパターンは、ウェイク時とスリープ時とで異なるパターンを使い分けることが好ましい。
【００２９】
図４は、本データ入力システムのホバー表示に関する動作原理を説明するための概略図である。
【００３０】
図４中、（Ａ）は、従来のアクティブスタイラスペンによるウェイク時およびスリープ時における送信信号の出力状況を示している。図示のように、ウェイク状態からスリープ状態に移行すると、従来のアクティブスタイラスペンは、送信信号の出力を停止する。これに伴い、タブレット側におけるホバーの表示は行われなくなる。
【００３１】
一方、（Ｂ）は、本データ入力システムのアクティブスタイラスペン２によるウェイク時およびスリープ時における送信信号の出力状況を示している。図示のように、ウェイク状態からスリープ状態に移行した場合、本データ入力システムのアクティブスタイラスペン２は、送信信号の出力動作を、継続的な送信から（ビーコン信号の）間欠的な送信へと切り替える。前述したように、ウェイク時の送信信号は、アクティブ信号生成回路２０６Ａにより生成され、スリープ時の送信信号（ビーコン信号）は、ビーコン信号生成回路２０６Ｂにより生成される。アクティブスタイラスペン２は、ビーコン信号に乗せて、自身がスリープ状態であることをタブレット１に通知する。
【００３２】
アクティブスタイラスペン２がスリープ状態に移行すると、タブレット１は、間欠的に出力される送信信号（ビーコン信号）に基づき、タッチスクリーンディスプレイ１２へのホバーの表示を実行する。より具体的には、送信信号（ビーコン信号）を受信してホバーを例えば座標（Ｘ1，Ｙ1）に表示した後、送信信号が途絶えても、タブレット１は、この座標（Ｘ1，Ｙ1）でのホバーの表示を維持する。その後、アクティブスタイラスペン２から間欠的に出力される送信信号（ビーコン信号）を受信した際に、タブレット１は、この受信した送信信号（ビーコン信号）に基づき、ホバーを改めて例えば座標（Ｘ2，Ｙ2）に表示する。
【００３３】
アクティブスタイラスペン２は、スリープ状態に移行した場合、送信信号の出力動作が継続的な送信から（ビーコン信号の）間欠的な送信へと切り替わるので、節電という所期の目的は達成される。また、タブレット１は、アクティブスタイラスペン２がスリープ状態にあっても、間欠的に出力される送信信号（ビーコン信号）に基づき、タッチスクリーンディスプレイ１２にホバーを表示することが可能となる。
【００３４】
なお、タブレット１は、送信信号が途絶えた期間が、送信信号（ビーコン信号）の間欠送信間隔を大幅に上回った場合、ホバーの表示の維持を終了してもよい。送信信号（ビーコン信号）の間欠送信間隔は、例えば数十msec程度のユーザに違和感を与えることのない範囲で設計することが好ましい。
【００３５】
さらに、アクティブスタイラスペン２は、ウェイク状態からスリープ状態に移行した場合、送信信号（ビーコン信号）のキャリア周波数をウェイク時のキャリア周波数よりも低周波数とすることで、消費電力を低減し、より一層の省電力化を図る。ウェイク時のキャリア周波数は、ノイズの影響を受けにくくするために、高周波数（数百KHz〜数MHz）とすることが一般的である。アクティブスタイラスペン２がスリープ状態にある場合におけるホバー表示のための送信信号（ビーコン信号）の送受信に関しては、ノイズの多少の影響は許容されるので、キャリア周波数を低周波数に変更しても問題はない。キャリア周波数の切替えは、周波数変換部２０８により実行される。
【００３６】
前述したように、アクティブスタイラスペン２は、ビーコン信号に乗せて、自身がスリープ状態であることをタブレット１に通知する。タブレット１は、この通知を受けて、キャリア周波数の切替えに対応する。
【００３７】
従来、スリープ状態のアクティブスタイラスペンのペン先をタッチスクリーンディスプレイに近づけたとしても、ペン先をタッチスクリーンディスプレイに接触させるまで、ホバーがタッチスクリーンディスプレイに表示されず、ウェイク状態の場合と動作が異なるという不便な点が存在した。これに対して、本データ入力システムでは、アクティブスタイラスペン２のペン先をタッチスクリーンディスプレイ１２に近づけた場合、スリープ状態であっても、ウェイク状態の場合と同様、ホバーがタッチスクリーンディスプレイ１２に表示されるので、アクティブスタイラスペン２がスリープ状態にあることをユーザに意識させることが無くなる。
【００３８】
図５は、アクティブスタイラスペン２の動作手順を示すフローチャートである。
【００３９】
アクティブスタイラスペン２は、筆圧の検出有無を調べ（ブロックＡ１）、筆圧が検出されない場合（ブロックＡ１のＮＯ）、続いて、一定期間以上筆圧が検出されていないかどうかを調べる（ブロックＡ２）。
【００４０】
一定期間以上筆圧が検出されていない場合（ブロックＡ２のＹＥＳ）、アクティブスタイラスペン２は、ウェイク状態であれば（ブロックＡ３のＹＥＳ）、キャリア周波数を低周波数にしてビーコン信号を間欠送信するスリープ状態に移行する（ブロックＡ４）。
【００４１】
一方、筆圧が検出された場合（ブロックＡ１のＹＥＳ）、アクティブスタイラスペン２は、スリープ状態であれば（ブロックＡ５のＹＥＳ）、通常のキャリア周波数で送信信号を継続送信するウェイク状態に復帰する（ブロックＡ６）。
【００４２】
以上のように、本データ入力システムによれば、アクティブスタイラスペンがスリープ状態にあってもホバリング機能を有効に機能させることを実現する。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１…タブレット、２…アクティブスタイラスペン、１１…本体、１２…タッチスクリーンディスプレイ、１２Ａ…タッチパネル、１２Ｂ…ＬＣＤ、１０１…ＣＰＵ、１０２…システムコントローラ、１０３…主メモリ、１０４…ＢＩＯＳ−ＲＯＭ、１０５…タッチパネルコントローラ、１０６…グラフィクスコントローラ、１０７…ＲＡＭ、１０８…ＥＣ、２０１…電源(電池)、２０２…電源供給回路、２０３…サイドスイッチ、２０４…送信制御回路、２０５…筆圧検出器、２０６…送信信号生成回路、２０６Ａ…アクティブ信号生成回路、２０６Ｂ…ビーコン信号生成回路、２０７…導電性素材ペン先、２０８…周波数変換部、２０９…送信信号出力部、３０１…ホバー表示プログラム
【図１】
2015210620.tif 000003
【図２】
2015210620.tif 000004
【図３】
2015210620.tif 000005
【図４】
2015210620.tif 000006
【図５】
2015210620.tif 000007